(57)【要約】【課題】  従来における汚染度を表示する一般的な手法にあっては、単に、赤や黄緑のＬＥＤによって汚染物質の名称や数値を表示するものであることから、数値を見ただけでは大気の状態が生活に適したクリーンな状態であるのか、汚れた状態であるのかを判断できないといった問題があった。【解決手段】  水色と赤のＬＥＤをマトリックス状に配置し、水色と赤色およびその混合色である白色を用いて図柄や文字によって大気の情報を表示する情報板１であって、前記情報板が設置されている地域の大気汚染度に関する信号を入力する信号入力手段３６と、該信号入力手段より入力された大気の汚染度が予め設定した基準値以下である場合に表示する水色や白色を基調とする図柄と、予め設定した基準値以上である場合に表示する赤色を基調とする図柄とを記憶する記憶手段３２とを具備した大気情報板である。【選択図】        図１
2005156660.tif 000002
【特許請求の範囲】
【請求項１】
水色と赤のＬＥＤをマトリックス状に配置し、水色と赤色およびその混合色である白色を用いて図柄や文字によって大気の情報を表示する情報板であって、
前記情報板が設置されている地域の大気汚染度に関する信号を入力する信号入力手段と、該信号入力手段より入力された大気の汚染度が予め設定した基準値以下である場合に表示する水色や白色を基調とする図柄と、予め設定した基準値以上である場合に表示する赤色を基調とする図柄とを記憶する記憶手段とを具備し、
前記大気の汚染度を前記情報板で数値として表示すると共に前記汚染度に対応する前記記憶手段に記憶されている図柄を選択して表示するようにしたことを特徴とする大気情報板。
【請求項２】
前記汚染度を示す数値を、情報板に表示される図柄の色調と同じ色調の色で表示するようにしたことを特徴とする請求項１記載の大気情報板。
【請求項３】
前記水色や白色を基調とする図柄を爽快感を示す図柄とし、前記赤を基調とする図柄を危機感を示す図柄としたことを特徴とする請求項１記載の大気情報板。
【請求項４】
前記信号入力手段によって入力された汚染度に関する数値を予め設定した基準値と比較する比較判定手段を備え、前記情報板において前記図柄の選択を行い表示するようにしたことを特徴とする請求項１記載の大気情報板。
【発明の詳細な説明】
【技術分野】
【０００１】
本発明は大気汚染の状態を、水色と赤の発光色のＬＥＤによって水色と赤色およびその混合色である白色で表示するようにした大気情報板に関する。
【背景技術】
【０００２】
近年、日本では地球環境問題から自動車排出ガス規制の強化等、数々の大気汚染防止対策が講じられているが、依然として大都市を中心とした二酸化窒素（ＮＯ2 ）、浮遊粒子状物質（ＳＰＭ）等の大気汚染は厳しい状況にある。そこで、交通が集中する道路を対象に大気常時観測局が設置され、幹線道路の沿線における住民や、該幹線道路を走行するドライバーに対して現時点での大気汚染度を数値で表示することが行なわれている。
【０００３】
このような大気汚染による汚染濃度が高くなったことを知らせる手段として、例えば、特開２００１−３１９２９２号公報に開示されている技術がある。この出願の要旨は、可変道路標識表示板において常時は現在の二酸化窒素による汚染度や浮遊粒子状物質による汚染度を数値で表示し、大気の汚染度が高くなった場合には、汚染度の高い地域への車両進入を規制する迂回路等を案内する道路標識の表示に変更するという技術である。
【０００４】
ところで、このような汚染度を表示する一般的な手法としては、赤色または赤と黄緑色のＬＥＤをマトリックス状に配列した表示板に対して、汚染物質の名称と汚染度を同じ色で表示したり、汚染度に応じて赤と黄緑で異ならしめて表示していた。
【特許文献１】特開２００１−３１９２９２
【発明の開示】
【発明が解決しようとする課題】
【０００５】
前記した汚染度を表示する一般的な手法にあっては、単に、赤や黄緑のＬＥＤによって汚染物質の名称や数値を表示するものであることから、数値を見ただけでは大気の状態が生活に適したクリーンな状態であるのか、汚れた状態であるのかを理解することができないといった問題があった。
【０００６】
本発明は前記した問題点を解決せんとするもので、その目的とするところは、水色と赤のＬＥＤをマトリックス状に配置した表示板で、大気の状態が綺麗な状態の場合には、爽快なイメージを感じる水色と、該水色と赤との混合色である白色とで図柄を表示すると共に汚染度を示す数値を表示し、また、大気の状態が汚れている場合には危機感を感じる赤色で図柄を表示すると共に汚染度を示す数値を表示することで、感覚的に大気の状態が生活に適したクリーンな状態であるか汚れた状態であるかを一目で判断することができる大気情報板を提供せんとするにある。
【課題を解決するための手段】
【０００７】
本発明の大気情報板は前記した目的を達成せんとするもので、請求項１の手段は、水色と赤のＬＥＤをマトリックス状に配置し、水色と赤色およびその混合色である白色を用いて図柄や文字によって大気の情報を表示する情報板であって、前記情報板が設置されている地域の大気汚染度に関する信号を入力する信号入力手段と、該信号入力手段より入力された大気の汚染度が予め設定した基準値以下である場合に表示する水色や白色を基調とする図柄と、予め設定した基準値以上である場合に表示する赤色を基調とする図柄とを記憶する記憶手段とを具備し、前記大気の汚染度を前記情報板で数値として表示すると共に前記汚染度に対応する前記記憶手段に記憶されている図柄を選択して表示するようにしたことを特徴とする。
【０００８】
請求項２の手段は、前記した請求項１の手段において、前記汚染度を示す数値を、表示板に表示される図柄の色調と同じ色調の色で表示するようにしたことを特徴とする。
【０００９】
請求項３の手段は、前記した請求項１の手段において、前記水色や白色を基調とする図柄を爽快感を示す図柄とし、前記赤を基調とする図柄を危機感を示す図柄としたことを特徴とする。
【００１０】
請求項４の手段は、前記した請求項１の手段において、前記信号入力手段によって入力された汚染度に関する数値を予め設定した基準値と比較する比較判定手段を備え、前記情報板において前記図柄の選択を行い表示するようにしたことを特徴とする。
【発明の効果】
【００１１】
本発明は前記したように、従来の黄緑の発光色のＬＥＤを水色の発光色のＬＥＤに置き換えて水色と赤色とその混合色の白色を表示できるようにし、大気汚染計測手段よりの汚染値を表示板で数値として表示すると共に汚染度に対応する記憶手段に記憶されている図柄を選択して表示するようにしたことで、図柄を見ただけで、該図柄の色彩から大気の状態がクリーンな状態か、汚れている状態かを直観的に知ることができる。
【００１２】
また、汚染度を示す数値を、情報板に表示される図柄の色調と同じ色調の色で表示するようにすることで、図画の色と数値の色から大気の状態がクリーンな状態か汚れている状態かを一層明確に把握することができる。
【００１３】
さらに、水色や白色を基調とする図柄を爽快感を示す図柄とし、赤を基調とする図柄を危機感を示す図柄とすることで、図柄の色と図柄の形状から大気の状態がクリーンな状態か汚れている状態かをより速く認識することができ、２色のＬＥＤからなる安価な情報板によって大気情報を効果的に知らしめることができる効果がある。
【００１４】
また、情報板側に大気の汚染度を比較する比較判定手段を備えたことにより、大気汚染を計測する測定装置の観測データを直接入力でき、測定地点毎の小さな大気汚染情報提供設備を構築することができ、従って、通信に関する設備を軽減することができるため、大気情報板としてのコストを低減することができる等の効果を有するものである。
【発明を実施するための最良の形態】
【００１５】
本発明は、汚染度が予め設定した基準値以下である場合に表示する水色や白色を基調とする図柄あるいは予め設定した基準値以上である場合に表示する赤色を基調とする図柄と、汚染度を示す数値とを表示板において表示することで、感覚的に大気の状態がクリーンな状態であるか否かを判断できる。
【実施例１】
【００１６】
以下、本発明に係る大気情報板の実施例を図面と共に説明する。
図１はシステムブロック図にして、１は大気汚染が発生するような道路沿いに多数設置された大気観測装置にして、前記各大気観測装置１よりの観測データは国道事務所等の管理事務所２に有線あるいは無線で送られる。なお、大気観測装置１は二酸化窒素（ＮＯ2 ）、浮遊粒子状物質（ＳＰＭ）、光化学オキシダント（Ｏx ）、二酸化イオウ（ＳＯ2 ）、一酸化炭素（ＣＯ）等の大気中に含まれる有害物質の汚染度を計測するものである。なお、前記した大気観測装置１は既設または新設の何れであってもよい。
【００１７】
２は前記各大気観測装置１より送られてきた観測データを管理する管理事務所にして、前記各大気観測装置１よりの有害物質毎に観測データを取り込むと共に、何れの大気観測装置１よりの観測データかをアドレスを付して記憶し、かつ、予め各有害物質毎に設定された基準値と前記取り込んだ各観測データとの比較を行い、前記観測データが前記基準値より大きい場合に前記アドレスと汚染度を示す数値情報、有害物質を示す文字情報および図柄情報からなる表示データを出力する制御部２１と、該制御部２１からの前記各種のデータとを前記アドレスに従って後述する大気情報板３に振り分けて出力する中継装置２２とから構成されている。
【００１８】
３は前記各大気観測装置１が設置された地域の路肩等に設置された大気情報板にして、大気観測装置１から出力された大気汚染度に関する信号（表示データ）を入力する信号入力手段３１と、大気が清浄な状態を示する図柄（本実施例では水色の空の図柄）あるいは大気汚染が進んでいる場合を示す図柄（本実施例では赤色の自動車の図柄）が記憶されている記憶手段３２と、該記憶手段３２よりの図柄情報と汚染度を示す数値情報および有害物資の種類情報とを後述する表示板３４で表示させるための表示板駆動手段３３と、水色の単色を発光するＬＥＤと赤の単色を発光するＬＥＤ（水色と赤色のＬＥＤを同時に発光させることで白色を発光させる）とをマトリックス状に配置した表示板３４とから構成されている。
【００１９】
なお、前記した大気が清浄な状態を示す図柄の色彩を水色としたのは、世界２０ヵ国、５５００人を対象として調査した研究から「晴れた日の空の色は」の質問に対して、世界で約７０％の人が「ごく薄い青」と答えた調査結果によるもので、青色が神経を静め、集中力を促進させて爽快感を感じる色と言われていることの理由による。また、前記した大気汚染が進んでいる状態を示す図柄の色彩を赤色としたのは、「危険を表す色は」の質問に対して世界共通の認識として多くの人が「赤」と答え、赤色が威嚇的な恐怖や危険を象徴することから、赤血球が増加して大脳を興奮させて危機感を感じる色と言われていることの理由による。ここで、本発明に使用するＬＥＤの水色とは、前記した「晴れた日の空の色に近いごく薄い青」を意味している。
【００２０】
なお、白色は清潔感を与えると共に緊張感、警戒心を緩和させると言われており．従って、水色と白色との組み合わせにより一層、清潔で爽快な状態を表すこととなり、空気が綺麗な状態であると表示板を見た人が感じることとなる。
文献としては、例えば、文献名「人はなぜ色に左右されるのか」、著者「千々岩  英彰」、発行所「河出書房新社」１９９７年発行
【００２１】
次に、前記したシステムブロック図に基づいて動作を図２のフローチャートと共に説明する。
先ず、大気汚染が多発する地域に設置された大気観測装置１はリアルタイムあるいは所定時間毎に大気中の各有害物質による汚染度を測定し、その結果を大気観測装置１が設置されている場所のアドレスと共に管理事務所２の制御部２１に有線あるいは無線によって送信する（ステップＳ１）。
【００２２】
前記大気観測装置１より送られてくる計測データが制御部２１に送信されると、該制御部２１は各有害物質毎に予め記憶されている基準値との比較を行い（ステップＳ２）、基準値より越えた有害物質が有るか、無いかを判別する（ステップＳ３）。
【００２３】
ここで、基準値より越えた有害物質が有ると判断した場合には、制御部２１は該基準値を越えた有害物質のデータと、どこに設置された大気観測装置１からのデータ（アドレス）と、汚染度を示す数値データ（０．３０ｐｐｍ）および色付きの図柄データ（赤色を基調とする自動車図柄）とを出力する（ステップＳ４）。そして、この各種のデータを受けた中継装置２２は、該各種のデータを、大気観測装置１が設置された地域の大気情報板３に送信する（ステップＳ５）。
【００２４】
前記中継装置２２によって選択されて前記各種の表示データが送信された大気情報板３はその表示データを入力する（ステップＳ６）と共に、記憶手段３２に予め記憶されている汚染度が高い場合の図柄と、有害物質の種類とを抽出し（ステップＳ７）、該抽出した有害物質と図柄および汚染度を示す数値とを、表示板駆動手段３３を介して図３に示すように表示板３４の予め設定した位置で表示する（ステップＳ８）。
【００２５】
なお、図３に示す表示板３４の図面において「浮遊粒子状物質」の文字は水色と赤との混合色である白色であり、汚染度を表す数値は赤色であり、自動車を示す図柄は赤色である。ただし、「浮遊粒子状物質」を赤色で表示してもよい。
【００２６】
また、前記したステップＳ３の判断において汚染物質の値が基準値を越えていないで大気が綺麗であると判断した場合には、汚染度を示す数値データ（０．１０ｐｐｍ）および色付きの図柄データ（水色を基調とする空を示す）とを出力する（ステップＳ９）。以下、前記したステップＳ５からステップＳ８の動作と同様にして表示板３４に図４に示す表示を行なう。なお、前記した処理の内、ステップＳ６からステップＳ８までが各大気情報板３が行なう処理である。
【００２７】
なお、図４において、「浮遊粒子状物質」の文字は水色と赤との混合色である白色であり、汚染度を表す数値は水色であり、空を示す図柄は水色で雲を表す図柄は白色である。
【００２８】
なお、前記した実施例においては、大気情報板１の記憶手段に夫々の図柄を記憶し、制御部２１から表示データとして何れかの図柄を指定して表示を行なう方法を示したが、図５のように大気観測装置１からの観測データを直接入力して大気情報板３に追加した比較判定手段３５で前記制御部２１の基準値との比較（図２のステップＳ２〜Ｓ４およびステップＳ９）の処理を行なわせ、以降、ステップＳ７およびステップＳ８の処理を実行することによって表示を行なうようにしてもよい。
【００２９】
また、前記した汚染度の大小によって色合いの濃淡を変更、例えば、水色の色調に白の色調の割合を多くする（水色の空に白色の雲が多くなるような図柄）ことで爽快感が低下し有害物質が増えたことを表現してもよい。
【図面の簡単な説明】
【００３０】
【図１】本発明に係る大気情報板を実施するためのシステムブロック図である。
【図２】同上のシステムブロックによる動作を説明するためのフローチャートである。
【図３】基準値を越えた場合の表示状態を示す表示板の正面図である。
【図４】基準値を越えていない場合の表示状態を示す表示板の正面図である。
【図５】他の実施例を示すシステムブロック図である。
【符号の説明】
【００３１】
１          大気観測装置
２          管理事務所
２１        制御部
２２        中継装置
３          大気情報板
３１        信号入力手段
３２        記憶手段
３３        表示板駆動手段
３４        表示板
３５        比較判定手段
【図１】
2005156660.tif 000003
【図２】
2005156660.tif 000004
【図３】
2005156660.tif 000005
【図４】
2005156660.tif 000006
【図５】
2005156660.tif 000007